(57)【要約】無線通信におけるＩＰマルチメディア・サブシステムおよびモバイル・デバイスへのセッション初期化プロトコル・ベースの登録を改善することを容易にするシステムおよび方法論が記載される。モバイル・デバイスは、利用可能な１または複数のＳＩＰサーバ（例えば、プロキシ・コール・セッション制御機能）を発見する。モバイル・デバイスは、到達可能性を判定するために、発見されたおのおののサーバへピング・メッセージを発行する。ピング・メッセージに関連付けられた測定された往復時間に少なくとも部分的に基づいて、モバイル・デバイスは、少なくとも１つのサーバとの登録手続きを開始する。
2011503929.tif 000002
【特許請求の範囲】
【請求項１】
セッション初期化プロトコル登録のための方法であって、
複数のプロキシ・サーバを発見することと、
リターン応答を要求するピング・メッセージを、前記発見されたおのおののプロキシ・サーバへ送信することと、
おのおののピング・メッセージに関連付けられた往復時間を測定することと、
測定された往復時間に基づいて、前記発見されたプロキシ・サーバのうちの少なくとも１つへの登録手続きを開始することと
を備える方法。
【請求項２】
前記複数のプロキシ・サーバを発見することは、前記複数のプロキシ・サーバを含むリストを取得することを備える請求項１に記載の方法。
【請求項３】
前記発見されたおのおののプロキシ・サーバへのピング・メッセージの送信は、並行してなされる請求項１に記載の方法。
【請求項４】
前記発見されたおのおののプロキシ・サーバに関する複数の測定値を収集するために、ピング・メッセージを複数回発行することをさらに備える請求項１に記載の方法。
【請求項５】
複数の測定値に基づいて、平均往復時間、最短往復時間、最長往復時間、中央往復時間のうちの少なくとも１つを判定することをさらに備える請求項４に記載の方法。
【請求項６】
前記発見されたプロキシ・サーバが到達可能であることを確証するために、おのおののピング・メッセージに関連付けられたリターン応答を検出することをさらに備える請求項１に記載の方法。
【請求項７】
測定された往復時間に基づいて、到達可能なプロキシ・サーバをランク付けすることをさらに備える請求項６に記載の方法。
【請求項８】
前記登録手続きを開始することは、最短往復時間に関連付けられたプロキシ・サーバから始まって、接続が確立されるまで、到達可能なプロキシ・サーバへの登録を開始することを備える請求項７に記載の方法。
【請求項９】
最短往復時間に対応する前記発見されたプロキシ・サーバからプロキシ・サーバを選択することをさらに備える請求項１に記載の方法。
【請求項１０】
前記ピング・メッセージに応答した第１のサーバへの登録手続きを開始することさらに備える請求項１に記載の方法。
【請求項１１】
前記第１のサーバとは異なるサーバから受信したピング・メッセージへの応答を保持することをさらに備える請求項１０に記載の方法。
【請求項１２】
前記第１のサーバへの登録に失敗すると、前記ピング・メッセージへ応答した第２のサーバへの登録を試みることをさらに備える請求項１１に記載の方法。
【請求項１３】
セッション初期化プロトコル登録のための通信装置であって、
複数のプロキシ・サーバを発見する手段と、
リターン応答を要求するピング・メッセージを、前記発見されたおのおののプロキシ・サーバへ送信する手段と、
おのおののピング・メッセージに関連付けられた往復時間を測定する手段と、
測定された往復時間に基づいて、前記発見されたプロキシ・サーバのうちの少なくとも１つへの登録手続きを開始する手段と
を備える通信装置。
【請求項１４】
無線通信装置であって、
複数のプロキシ・サーバを発見することと、リターン応答を要求するピング・メッセージを、前記発見されたおのおののプロキシ・サーバへ送信することと、おのおののピング・メッセージに関連付けられた往復時間を測定することと、測定された往復時間に基づいて、前記発見されたプロキシ・サーバのうちの少なくとも１つへの登録手続きを開始することと、のための命令群を保持するメモリと、
前記メモリに接続され、前記メモリに保持された命令群を実行するように構成されたプロセッサと
を備える無線通信装置。
【請求項１５】
前記メモリはさらに、前記複数のプロキシ・サーバを含むリストを取得するための命令群を保持する請求項１４に記載の無線通信装置。
【請求項１６】
前記発見されたおのおののプロキシ・サーバへのピング・メッセージの送信は、並行してなされる請求項１４に記載の無線通信装置。
【請求項１７】
前記メモリはさらに、前記発見されたおのおののプロキシ・サーバに関する複数の測定値を収集するために、ピング・メッセージを複数回発行するための命令群を保持する請求項１４に記載の無線通信装置。
【請求項１８】
前記メモリはさらに、複数の測定値に基づいて、平均往復時間、最短往復時間、最長往復時間、中央往復時間のうちの少なくとも１つを判定するための命令群を保持する請求項１７に記載の無線通信装置。
【請求項１９】
前記メモリはさらに、前記発見されたプロキシ・サーバが到達可能であることを確証するために、おのおののピング・メッセージに関連付けられたリターン応答を検出するための命令群を保持する請求項１４に記載の無線通信装置。
【請求項２０】
前記メモリはさらに、測定された往復時間に基づいて、到達可能なプロキシ・サーバをランク付けするための命令群を保持する請求項１９に記載の無線通信装置。
【請求項２１】
前記メモリはさらに、最短往復時間に関連付けられたプロキシ・サーバから始まって、接続が確立されるまで、到達可能なプロキシ・サーバへの登録を開始するための命令群を保持する請求項２０に記載の無線通信装置。
【請求項２２】
前記メモリはさらに、最短往復時間に対応する前記発見されたプロキシ・サーバからプロキシ・サーバを選択するための命令群を保持する請求項１４に記載の無線通信装置。
【請求項２３】
前記メモリはさらに、前記ピング・メッセージに応答した第１のサーバへの登録手続きを開始するための命令群を保持する請求項１４に記載の無線通信装置。
【請求項２４】
前記メモリはさらに、前記第１のサーバとは異なるサーバから受信したピング・メッセージへの応答を保持するための命令群を保持する請求項２３に記載の無線通信装置。
【請求項２５】
前記メモリはさらに、前記第１のサーバへの登録に失敗すると、前記ピング・メッセージへ応答した第２のサーバへの登録を試みるための命令群を保持する請求項２４に記載の無線通信装置。
【請求項２６】
コンピュータに対して、複数のプロキシ・サーバを発見させるためのコードと、
前記コンピュータに対して、リターン応答を要求するピング・メッセージを、前記発見されたおのおののプロキシ・サーバへ送信させるためのコードと、
前記コンピュータに対して、おのおののピング・メッセージに関連付けられた往復時間を測定させるためのコードと、
前記コンピュータに対して、測定された往復時間に基づいて、前記発見されたプロキシ・サーバのうちの少なくとも１つへの登録手続きを開始させるためのコードと、
を備えるコンピュータ読取可能媒体を備えるコンピュータ・プログラム製品。
【請求項２７】
無線通信システムにおける装置であって、
複数のプロキシ・サーバを発見し、リターン応答を要求するピング・メッセージを、前記発見されたおのおののプロキシ・サーバへ送信し、おのおののピング・メッセージに関連付けられた往復時間を測定し、測定された往復時間に基づいて、前記発見されたプロキシ・サーバのうちの少なくとも１つへの登録手続きを開始するように構成されたプロセッサを備える装置。
【請求項２８】
モバイル・デバイスのセッション初期化プロトコル登録のための方法であって、
モバイル・デバイスから少なくとも１つのピング・メッセージを受信することと、
前記少なくとも１つのピング・メッセージに応答して、前記モバイル・デバイスへリターン・メッセージを送信することと、
前記少なくとも１つのピング・メッセージの送信、および前記リターン・メッセージの受信に必要な往復時間に少なくとも部分的に基づいて、前記モバイル・デバイスへの登録を開始することと
を備える方法。
【請求項２９】
プロキシ・サーバのリストを含む少なくとも１つのサーバに登録することをさらに備える請求項２８に記載の方法。
【請求項３０】
前記少なくとも１つのサーバへ登録することは、前記サーバのリストへエントリを追加する請求項２９に記載の方法。
【請求項３１】
セッション初期化プロトコル登録のための通信装置であって、
モバイル・デバイスから少なくとも１つのピング・メッセージを受信する手段と、
前記少なくとも１つのピング・メッセージに応答して、前記モバイル・デバイスへリターン・メッセージを送信する手段と、
前記少なくとも１つのピング・メッセージの送信、および前記リターン・メッセージの受信に必要な往復時間に少なくとも部分的に基づいて、前記モバイル・デバイスへの登録を開始する手段と
を備える通信装置。
【請求項３２】
無線通信装置であって、
モバイル・デバイスから少なくとも１つのピング・メッセージを受信することと、前記少なくとも１つのピング・メッセージに応答して、前記モバイル・デバイスへリターン・メッセージを送信することと、前記少なくとも１つのピング・メッセージの送信、および前記リターン・メッセージの受信に必要な往復時間に少なくとも部分的に基づいて、前記モバイル・デバイスへの登録を開始することと、のための命令群を保持するメモリと、
前記メモリに接続され、前記メモリに保持された命令群を実行するように構成されたプロセッサと
を備える無線通信装置。
【請求項３３】
前記メモリはさらに、プロキシ・サーバのリストを含む少なくとも１つのサーバに登録するための命令群を保持する請求項３２に記載の無線通信装置。
【請求項３４】
前記少なくとも１つのサーバへ登録することは、前記サーバのリストへエントリを追加する請求項３３に記載の無線通信装置。
【請求項３５】
コンピュータに対して、モバイル・デバイスから少なくとも１つのピング・メッセージを受信させるためのコードと、
前記コンピュータに対して、前記少なくとも１つのピング・メッセージに応答して、前記モバイル・デバイスへリターン・メッセージを送信させるためのコードと、
前記コンピュータに対して、前記少なくとも１つのピング・メッセージの送信、および前記リターン・メッセージの受信に必要な往復時間に少なくとも部分的に基づいて、前記モバイル・デバイスへの登録を開始させるためのコードと、
を備えるコンピュータ読取可能媒体を備えるコンピュータ・プログラム製品。
【請求項３６】
無線通信システムにおける装置であって、
モバイル・デバイスから少なくとも１つのピング・メッセージを受信し、前記少なくとも１つのピング・メッセージに応答して、前記モバイル・デバイスへリターン・メッセージを送信し、前記少なくとも１つのピング・メッセージの送信、および前記リターン・メッセージの受信に必要な往復時間に少なくとも部分的に基づいて、前記モバイル・デバイスへの登録を開始するように構成されたプロセッサを備える装置。
【発明の詳細な説明】
【関連出願に対する相互参照】
【０００１】
本出願は、２００７年１０月５日に出願された"METHOD AND APPARATUS FOR OPTIMIZING A REGISTRATION PROCEDURE"と題された米国仮出願６０／９７８，０７２号の利益を主張する。上記出願の全体は、参照によって本明細書に組み込まれる。
【技術分野】
【０００２】
以下の説明は、一般に、無線通信に関し、さらに詳しくは、到達可能性を判定するために、ピング・メッセージを用いることによって、セッション初期化プロトコル登録を改善することに関する。
【背景技術】
【０００３】
無線通信システムは、例えば、音声、データ等のようなさまざまなタイプのコンテンツを通信するために広く開発されてきた。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば、第３世代パートナシップ計画（３ＧＰＰ）、３ＧＰＰ２、３ＧＰＰロング・ターム・イボリューション（ＬＴＥ）等のような仕様に準拠しうる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。それに加えて、ピア・ツー・ピア無線ネットワーク構成で、モバイル・デバイスが他のモバイル・デバイスと（および／または基地局が他の基地局と）通信することができる。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、アクセス端末に対して興味のある独立した受信からなるデータのストリームでありうる。そのような基地局の有効範囲領域内のアクセス端末は、合成ストリームによって搬送される１つ、１つより多い、または全てのデータ・ストリームを受信するために適用されうる。同様に、アクセス端末は、基地局あるいは他のアクセス端末へデータを送信することができる。
【０００６】
ＭＩＭＯシステムは、データ送信のために、一般に、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【発明の概要】
【０００７】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたは全ての実施形態のスコープを線引きすることも意図されていない。その唯一の目的は、後に示されるより詳細な記載に対する前置きとして、簡略化された形式で１または複数の実施形態のいくつかの概念を表すことである。
【０００８】
１または複数の実施形態およびその対応する開示によれば、無線通信におけるモバイル・デバイスのセッション初期化プロトコル・ベースの登録およびマルチメディア・サブシステムの改良に関するさまざまな態様が記載される。モバイル・デバイスは、利用可能な１または複数のＳＩＰサーバ（例えば、プロキシ・コール・セッション制御機能）を発見する。モバイル・デバイスは、到達可能性を判定するために、発見されたおのおののサーバへ、並行してピング（PING）メッセージを発行する。ピング・メッセージに関連付けられ、測定された往復時間に少なくとも部分的に基づいて、モバイル・デバイスは、少なくとも１つのサーバへの登録手続きを開始する。
【０００９】
関連する態様によれば、セッション初期化プロトコル登録を改良することを容易にする方法が提供される。この方法は複数のプロキシ・サーバを発見することを備えうる。この方法はまた、発見されたおのおののプロキシ・サーバへピング・メッセージを送信することを含む。ピング・メッセージは、リターン応答を要求する。さらに、この方法は、おのおののピング・メッセージに関連付けられた往復時間を測定することを含みうる。それに加えて、この方法はまた、測定された往復時間に基づいて、発見されたプロキシ・サーバのうちの少なくとも１つへの登録手続きを開始することを含みうる。
【００１０】
別の態様は、セッション初期化プロトコル登録を容易にする通信装置に関する。この通信装置は、複数のプロキシ・サーバを発見する手段を含みうる。この通信装置はまた、発見されたおのおののプロキシ・サーバへピング・メッセージを送信する手段を備えうる。ピング・メッセージは、リターン応答を要求する。さらに、通信装置は、おのおののピング・メッセージに関連付けられた往復時間を測定する手段を含みうる。それに加えて、通信装置はまた、測定された往復時間に基づいて、発見されたプロキシ・サーバのうちの少なくとも１つへの登録手続きを開始する手段をも備えうる。
【００１１】
さらに別の態様は、無線通信装置に関する。この無線通信装置は、複数のプロキシ・サーバを発見することと、リターン応答を要求するピング・メッセージを、発見されたおのおののプロキシ・サーバへ送信することと、おのおののピング・メッセージに関連付けられた往復時間を測定することと、測定された往復時間に基づいて、発見されたプロキシ・サーバのうちの少なくとも１つへの登録手続きを開始することと、に関連する命令群を保持するメモリを含みうる。それに加えて、この無線通信装置はさらに、メモリに接続されメモリに保持された命令群を実行するように構成されたプロセッサを備えうる。
【００１２】
また別の態様は、コンピュータ読取可能媒体を有しうるコンピュータ・プログラム製品に関する。コンピュータ読取可能媒体は、コンピュータに対して、複数のプロキシ・サーバを発見させるためのコードを含みうる。コンピュータ読取可能媒体はまた、コンピュータに対して、発見されたおのおののプロキシ・サーバへピング・メッセージを送信させるためのコードをも備えうる。ピング・メッセージはリターン応答を要求する。さらに、コンピュータ読取可能媒体は、コンピュータに対して、おのおののピング・メッセージに関連付けられた往復時間を測定させるためのコードを含みうる。それに加えて、コンピュータ読取可能媒体は、コンピュータに対して、測定された往復時間に基づいて、発見されたプロキシ・サーバのうちの少なくとも１つへの登録手続きを開始させるためのコードを備えうる。
【００１３】
別の態様は、無線通信システムにおける装置に関する。この装置は、複数のプロキシ・サーバを発見するように構成されたプロセッサを備えうる。このプロセッサはまた、発見されたおのおののプロキシ・サーバへピング・メッセージを送信するように構成されうる。ピング・メッセージは、リターン応答を要求する。プロセッサはさらに、おのおののピング・メッセージに関連付けられた往復時間を測定するように構成されうる。それに加えて、プロセッサは、測定された往復時間に基づいて、発見されたプロキシ・サーバのうちの少なくとも１つへの登録手続きを開始するように構成されうる。
【００１４】
本明細書に記述された別の態様は、モバイル・デバイスのセッション初期化プロトコル登録を容易にする方法に関する。この方法は、モバイル・デバイスから少なくとも１つのピング・メッセージを受信することを含みうる。この方法はまた、少なくとも１つのピング・メッセージに応答して、モバイル・デバイスへリターン・メッセージを送信することを備えうる。それに加えて、この方法はまた、少なくとも１つのピング・メッセージの送信とリターン・メッセージの受信とに必要な往復時間に少なくとも部分的に基づいて、モバイル・デバイスの登録を開始することを含みうる。
【００１５】
また別の態様は、セッション初期化プロトコル登録を容易にする通信装置に関する。この通信装置は、モバイル・デバイスから少なくとも１つのピング・メッセージを受信する手段を備えうる。この通信装置はさらに、少なくとも１つのピング・メッセージに応答してモバイル・デバイスへリターン・メッセージを送信する手段を含みうる。それに加えて、この通信装置は、少なくとも１つのピング・メッセージの送信とリターン・メッセージの受信とのために必要な往復時間に少なくとも部分的に基づいて、モバイル・デバイスの登録を開始することを含みうる。
【００１６】
本明細書に記載されたさらなる態様は、メモリを備えうる無線通信装置に関する。このメモリは、モバイル・デバイスから少なくとも１つのピング・メッセージを受信することと、少なくとも１つのピング・メッセージに応答して、モバイル・デバイスへリターン・メッセージを送信することと、少なくとも１つのピング・メッセージの送信とリターン・メッセージの受信とに必要な往復時間に少なくとも部分的に基づいて、モバイル・デバイスの登録を開始することと、に関連する命令群を保持しうる。それに加えて、この無線通信装置はさらに、メモリに接続されメモリ内に保持された命令群を実行するように構成されたプロセッサを含みうる。
【００１７】
また別の態様は、モバイル・デバイスからの少なくとも１つのピング・メッセージをコンピュータに受信させるためのコードを含むコンピュータ読取可能媒体を有するコンピュータ・プログラム製品に関する。コンピュータ読取可能媒体はさらに、コンピュータに対して、少なくとも１つのピング・メッセージに応答してモバイル・デバイスへリターン・メッセージを送信させるためのコードを備えうる。それに加えて、コンピュータ読取可能媒体は、コンピュータに対して、少なくとも１つのピング・メッセージの送信とリターン・メッセージの受信とに必要な往復時間に少なくとも部分的に基づいて、モバイル・デバイスの登録を開始させるためのコードを含みうる。
【００１８】
また別の態様は、無線通信システムにおける装置に関する。この装置は、モバイル・デバイスから少なくとも１つのピング・メッセージを受信するように構成されたプロセッサを備えうる。このプロセッサはまた、少なくとも１つのピング・メッセージに応答して、モバイル・デバイスへリターン・メッセージを送信するように構成されうる。それに加えて、このプロセッサは、少なくとも１つのピング・メッセージの送信とリターン・メッセージの受信のために必要な往復時間に少なくとも部分的に基づいて、モバイル・デバイスの登録を開始するように構成されうる。
【００１９】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの等価物を示すことが意図されている。
【図面の簡単な説明】
【００２０】
【図１】図１は、本明細書に記載されたさまざまな態様にしたがう無線通信システムの実例である。
【図２】図２は、無線通信環境内で適用される通信装置の実例である。
【図３】図３は、登録手続きを開始する前にプロキシＳＩＰサーバの到達可能性を判定することを容易にする無線通信システムの実例である。
【図４】図４は、主題とする開示の態様にしたがってプロキシ・サーバの選択および登録を示すコール・フローを例示する。
【図５】図５は、セッション初期化プロトコルを用いてＩＭＳ登録手続きを開始する前に、到達可能なサーバを選択することを容易にする方法論の例示である。
【図６】図６は、セッション初期化プロトコルを用いてＩＭＳ登録手続きを開始する前に、到達可能なサーバを選択することを容易にする方法論の例示である。
【図７】図７は、開示された主題の態様にしたがって無線通信システム内のモバイル・デバイスに関連付けられた通信を容易にするシステムの例示である。
【図８】図８は、開示された主題の態様にしたがって無線通信システム内のモバイル・デバイスに関連付けられた通信を容易にするシステムの例示である。
【図９】図９は、本明細書に記載されたさまざまなシステムおよび方法と共に適用されうる無線ネットワーク環境の例示である。
【図１０】図１０は、ピング（ping）メッセージによってＳＩＰ登録中にＰ−ＣＳＣＦの到達可能性を判定するシステムの例示である。
【図１１】図１１は、セッション初期化プロトコル登録を容易にするシステムの例示である。
【発明を実施するための形態】
【００２１】
さまざまな態様が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、１または複数の実施形態の記載を容易にするために、周知の構成およびデバイスがブロック図形式で示される。
【００２２】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２３】
さらに、さまざまな実施形態が、本明細書では、モバイル・デバイスに関して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、またはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して記載される。基地局は、モバイル・デバイスと通信するために利用され、また、アクセス・ポイント、ノードＢ、イボルブド・ノードＢ（ｅＮｏｄｅＢまたはｅＮＢ）、基地トランシーバ局（ＢＴＳ）、またはその他幾つかの専門用語でも称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、デジタル・バーサタイル・ディスク（ＤＶＤ）等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他さまざまな媒体を含みうる。
【００２５】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数領域多重化（ＳＣ−ＦＤＭＡ）、およびその他のシステムのようなさまざまな無線通信システムに使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。ＣＤＭＡ２０００およびＵＭＢは、「第３世代パートナシップ計画２」（３ＧＰＰ２）からの文書に記載されている。
【００２６】
図１に示すように、無線通信システム１００が、本明細書に示されたさまざまな実施形態にしたがって例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらおのおのは、当業者によって理解されるように、信号の送信および受信に関連付けられた複数の構成要素（例えば、プロセッサ、変調器、マルチプレクサ、復調器、デマルチプレクサ、アンテナ等）を備えうる。
【００２７】
基地局１０２は、例えばモバイル・デバイス１１６およびモバイル・デバイス１２２のような１または複数のアクセス端末と通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は、例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用しうる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用しうる。
【００２８】
通信するように指定された領域および／またはアンテナのおのおののグループは、基地局１０２のセクタと称されうる。例えば、基地局１０２によってカバーされる領域のセクタ内のモバイル・デバイスへ通信するために複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を向上するためにビームフォーミングを適用することができる。例えば、これは、希望の方角に信号を向けるためにプリコーダを使用することにより提供されうる。また、基地局１０２は、関連する有効通信範囲内にランダムに分布しているモバイル・デバイス１１６、１２２へ送信するためにビームフォーミングを利用している間、近隣セル内のモバイル・デバイスは、すべてのモバイル・デバイスに対して単一のアンテナで送信する基地局に比べて、少ない干渉しか被らない。さらに、モバイル・デバイス１１６、１２２は、１つの例において、ピア・トゥ・ピアまたはアド・ホック技術を用いて互いにダイレクトに通信しうる。一例によれば、システム１００は、複数入力複数出力（ＭＩＭＯ）通信システムになりえる。さらに、システム１００は、（例えば、順方向リンク、逆方向リンクのような）通信チャネルを分割するために、例えばＦＤＤ、ＴＤＤ等のような実質的に任意のタイプのデュプレクス技術を利用しうる。
【００２９】
図２に移って、無線通信環境内で適用される通信装置２００が例示される。この通信装置２００は、基地局または基地局の一部、モバイル・デバイスまたはモバイル・デバイスの一部、あるいは、無線通信環境において送信されたデータを受信する実質的に任意の通信装置でありうる。通信システムにおいて通信装置２００は、登録手続きを開始する前に、到達可能なセッション初期化プロトコル（ＳＩＰ）サーバを選択することを可能にするために、後述するような構成要素を適用しうる。
【００３０】
この通信装置２００は、マルチメディア通信セッションをセットアップおよび／または破棄するためにＳＩＰ（例えば、シグナリング・プロトコル）を利用するセッション初期化プロトコル（ＳＩＰ）モジュール２０２を含みうる。例えば、ＳＩＰは、限定される訳ではないが、ビデオ会議、インスタント・メッセージング、オンライン・ゲーム、ストリーミング・マルチメディア等のようなアプリケーションに関連付けられたセッションを確立するために適用されうる。それに加え、ＳＩＰは、無線通信システムにおけるＩＰベースのマルチメディア・サービスを可能にするために、ＩＰマルチメディア・サブシステム（ＩＭＳ）内で通信セッションを確立するために利用されうる。
【００３１】
例によれば、ＳＩＰモジュール２０２は、通信装置２００と（図示しない）ＩＭＳとの間のインタフェースを提供するプロキシ・コール・セッション制御機能（Ｐ−ＣＳＣＦ）のようなＳＩＰサーバを発見する。ＳＩＰモジュール２０２は、例えばダイナミック・ホスト・コンフィギュレーション・プロトコル（ＤＨＣＰ）サーバから、Ｐ−ＣＳＣＦエントリのリストを取得することによって、ＳＩＰサーバを発見しうる。ＳＩＰモジュール２０２には、発見したＳＩＰサーバが到達可能であるとは保証されない。取得されたリスト上のＰ−ＣＳＣＦエントリ（例えば、削除されるべきでされていない古いエントリ）は、通信装置２００と一時的にコンタクトしていないか、あるいは、アクティブにならない。１つの態様では、ＳＩＰモジュール２０２は、到達可能性を判定するために、Ｐ−ＣＳＣＦエントリを用いて登録手続きを開始する。この登録手続きは、到達可能性を判定するために、リスト内のおのおののエントリに対して約３０秒を必要とする複数の試行を必要とする。
【００３２】
別の態様によれば、通信装置２００はさらに、ＳＩＰサーバ（例えば、Ｐ−ＣＳＣＦ）の到達可能性を確認することを容易にするピング・モジュール２０４を含みうる。ピング・モジュール２０４は、おのおののＳＩＰサーバへのピング・メッセージを送信しうる。１つの態様では、ピング・モジュール２０４は、すべてのプロキシ・サーバへ並行してピング・メッセージを送信する。ピング・メッセージは、ネットワーク内の特定のサーバ／エンティティの利用可能性を検査するメカニズムである。ピング・メッセージは、ターゲット（例えば、プロキシ・サーバまたはＰ−ＣＳＣＦ）がピング・メッセージを受信すると、応答をリターンするようにターゲットからの応答を要求する。到達可能または利用可能なターゲットは応答をリターンする一方、到達可能ではないターゲットは、応答をリターンしない。ピング・モジュール２０４は、特定のピング・メッセージを送信され受信されるために必要な時間に、応答が送信され受信されるために必要な時間が加えられたものに相当する往復時間を測定しうる。別の例において、ピング・モジュール２０４は、往復時間測定値の信頼性を高めるために、複数のピング・メッセージを送信しうる。ピング・モジュール２０４は、全ての往復時間測定値を集め、平均時間、最短時間、最長時間、中央時間、および／または、測定値の収集に適用することが可能なその他任意の統計的なメトリックのうちの少なくとも１つを評価しうる。
【００３３】
通信装置２００はまた、到達可能なサーバからサーバ（例えば、プロキシ・サーバまたはＰ−ＣＳＣＦ）を選択するサーバ選択モジュール２０６を含みうる。到達可能なサーバは、ピング・モジュール２０４によって送信されたピング・メッセージに応答を送った、発見されたサーバを含んでいる。サーバ選択モジュール２０６は、測定された最短往復時間を持つサーバを選択しうる。さらに、サーバ選択モジュール２０６は、複数の測定値に基づいて、最短平均往復時間、最短往復時間、最長往復時間、または中央往復時間を持つサーバを選択しうる。それに加えて、サーバ選択モジュール２０６は、統計的なメトリックの組み合わせに基づいてサーバを選択しうることが認識されるべきである。例えば、サーバ選択モジュール２０６は、平均往復時間が最短とはいっても、第２のサーバとほぼ同じである一方、第２のサーバよりも短い中央往復時間を有するサーバを選択しうる。選択後、ＳＩＰモジュール２０２は、選択されたサーバへの登録手続きを開始しうる。
【００３４】
別の態様によれば、通信装置２００は、第１のレスポンダ（例えば、ピング・メッセージに応答するＰ−ＣＳＣＦ、プロキシ・サーバ、あるいは最初のサーバ）へのＳＩＰ登録を進める。第１のレスポンダへのこの初期登録中、通信装置２００は、その後に応答する他のサーバを無視する。通信装置２００は、他のサーバから受信した応答を保持しうる。したがって、この初期登録に失敗した場合、通信装置２００は、応答を受信した他のサーバへの登録を試みる。例えば、通信装置２００は、上述したこれらのような選択技術を適用しうる。それに加えて、通信装置２００は、時間内に応答する第２のサーバへの登録を試みる。通信装置２００は、登録が成功するまで、必要に応じて何度もこの処理を繰り返しうる。
【００３５】
さらに、図示していないが、通信装置２００は、サーバ、プロキシ・サーバ、および／またはＰ−ＣＳＣＦを発見し、ピング・メッセージを送信し、ピング・メッセージ応答を受信し、往復時間を測定し、往復時間測定値に基づいてサーバを選択する等を行うための命令群を保持するメモリを含みうることが認識されるべきである。それに加えて、メモリは、信頼性向上のために、複数のピング・メッセージからの測定値を集め、統計的に分析するための命令群を保持する。さらに、通信装置２００は、命令群（例えば、メモリ内に保持された命令群、別のソースから取得された命令群）を実行することに関連して利用されうるプロセッサを含むことができる。
【００３６】
図３に示すように、登録手続きの開始前にプロキシＳＩＰサーバの到達可能性を判定することを容易にする無線通信システム３００が例示される。システム３００は、基地局３０４（および／または、（図示しない）任意の数の別のデバイス）と通信しうるアクセス端末３０２（例えば、モバイル・デバイス、ユーザ機器、モバイル端末等）を含む。基地局３０４は、順方向リンク・チャネルすなわちダウンリンク・チャネルでアクセス端末３０２へ情報を送信しうる。基地局３０４はさらに、逆方向リンク・チャネルすなわちアップリンク・チャネルでアクセス端末３０２から情報を受信しうる。さらに、システム３００は、ＭＩＭＯシステムになりえる。それに加えて、システム３００は、ＯＦＤＭＡ無線ネットワーク（例えば、３ＧＰＰ、３ＧＰＰ２、３ＧＰＰ  ＬＴＥ等）で動作しうる。また、基地局３０４において図示および以下に説明される構成要素および機能は、一例において、その逆に、アクセス端末３０２内にも存在しうる。
【００３７】
システム３００はさらに、無線ネットワークのラジオ機能の実行、および、公衆交換回線網とインタフェースしうる（図示しない）コア・ネットワークへの接続またはインタフェースの提供を行うアクセス・ネットワーク３０６を含みうる。アクセス・ネットワーク３０６は、ラジオ・アクセス・ネットワーク、ＵＭＴＳ地上ラジオ・アクセス・ネットワーク、ＬＴＥネットワーク、イボリューション・データ・オプティマイズド（ＥＶ−ＤＯ）ネットワーク等でありうる。それに加えて、アクセス・ネットワーク３０６は、ラジオ・リソースの利用度および信頼性を制御する１または複数の（図示しない）ラジオ・ネットワーク・コントローラを含みうる。システム３００はまた、例えばアクセス端末３０２のようなモバイル・デバイスに関連付けられたポイント・トゥ・ポイント（ＰＰＰ）セッションを確立、維持、および終了しうるパケット・データ・サービング・ノード（ＰＤＳＮ）３０８を含みうる。ＰＤＳＮ３０８は、ＧＳＭネットワークまたはＵＭＴＳネットワーク内のＧＰＲＳサポート・ノードであるか、あるいは、特定のネットワークのためのＰＰＰ接続を管理するその他任意のサポート・ノードでありうることが認識されるべきである。それに加えて、システム３００は、１または複数のＰ−ＣＳＣＦサーバ３１０を含みうる。これは、アクセス端末３０２のＳＩＰ登録を可能にし、アクセス端末３０２とＩＭＳ（図示せず）との間の接続を容易にする。
【００３８】
例示によれば、アクセス端末３０２は、エアによって、あるいはラジオ接続によって、基地局３０４と通信しうる。基地局３０４は、Ａ８／Ａ９コントローラ３１２を含む。これは、基地局３０４とアクセス・ネットワーク３０６との間のＡ８インタフェースおよび／またはＡ９インタフェースを確立しうる。特に、Ａ８インタフェースは、アクセス・ネットワーク３０６のパケット制御機能（図示せず）と基地局３０４との間で、ユーザ・データを伝送する。Ａ９インタフェースは、基地局３０４とアクセス・ネットワーク３０６との間で制御情報またはシグナリング情報を伝送する。一方、アクセス・ネットワーク３０６は、Ａ１０／Ａ１１コントローラ３１４を含みうる。これは、アクセス・ネットワーク３０６とＰＤＳＮ３０８との間にＡ１０インタフェースおよび／またはＡ１１インタフェースを確立し、利用することを容易にする。Ａ８インタフェースおよびＡ９インタフェースと同様に、Ａ１０インタフェースおよびＡ１１インタフェースも、アクセス・ネットワーク３０６とＰＤＳＮ３０８との間で、ユーザ・データおよびシグナリング情報をそれぞれ伝送する。
【００３９】
例によれば、アクセス端末３０２は、ＩＭＳによって提供されるマルチメディア・サービスへのＩＰ接続（例えば、マルチメディア通信セッション）を要求するＳＩＰアプリケーション３１６を含みうる。例えば、ＳＩＰアプリケーション３１６は、ボイス・オーバＩＰアプリケーション、マルチメディア・ストリーミング・アプリケーション、あるいは、ＩＭＳを必要とするその他任意のマルチメディア・ベースのアプリケーションでありうる。アクセス端末３０２は、ＳＩＰアプリケーション３１６によって適用されうるマルチメディア通信セッションの確立を容易にするＳＩＰモジュール３１８を含む。ＳＩＰモジュール３１８は、アクセス端末３０２とＩＰマルチメディア・サブシステムとの間のインタフェースを提供するプロキシ・サーバ（例えば、Ｐ−ＣＳＣＦサーバ３１０）のリストを取得するディスカバリ・モジュール３２０を含みうる。ディスカバリ・モジュール３２０は、おのおののＰ−ＣＳＣＦ３１０のためのエントリを有するリストをＤＨＣＰサーバから取得する。態様によれば、Ｐ−ＣＳＣＦ３１０は、動作すると、ＤＨＣＰへの登録を行い、これによって、ＤＨＣＰサーバは、利用可能なサーバのリストに、Ｐ−ＣＳＣＦ３１０のためのエントリを生成できるようになる。このリストを獲得するために、アクセス端末３０２は、エアによって、基地局３０４へシグナルすることができる。基地局３０４は、Ａ８インタフェースまたはＡ９インタフェースによって、アクセス・ネットワーク３０６へ要求を転送することができる。アクセス・ネットワーク３０６は、Ａ１０インタフェースまたはＡ１１インタフェースによって、アクセス端末３０２のためのＰＰＰ接続を確立するようにＰＤＳＮ３０８へ要求しうる。その後、アクセス端末３０２は、サーバまたはその他の構成要素へアクセスするために、ＩＰベースのプロトコルを利用しうる。
【００４０】
リスト内のどのサーバが到達可能であるかを判定するために、ディスカバリ・モジュール３２０によって取得されたリスト内のおのおののプロキシ・サーバへピング・メッセージを送信するピング・モジュール３２２が提供される。態様によれば、ピング・モジュール３２２は、ピング・メッセージを全てのサーバへ並行して送信しうる。ピング・モジュール３２２は、ピング・メッセージの送信のタイム・スタンプ、および、リターン応答に関連付けられたタイム・スタンプに基づいて往復時間を測定する往復評価部３２４を含みうる。サーバ選択モジュール３２６は、到達可能なサーバのセットから、プロキシ・サーバを選択しうる。到達可能なサーバは、ピング・メッセージに対する応答をリターンするサーバである。態様によれば、サーバ選択モジュール３２６は、往復時間評価部３２４によって判定された最短の往復時間を持つプロキシ・サーバを選択しうる。選択後、選択されたプロキシ・サーバへのＳＩＰ登録を開始し、ＳＩＰアプリケーション３１６のためのマルチメディア通信セッションの確立を可能にする。それに加えて、サーバ選択モジュール３２６は、到達可能なすべてのサーバを、測定された往復時間にしたがってランク付けし、マルチメディア・セッションが確立されるまで、ランク付けされたおのおののサーバへの登録を開始しうる。
【００４１】
図４は、主題とする開示の態様にしたがってプロキシ・サーバ（例えば、Ｐ−ＣＳＣＦ）を選択し、プロキシ・サーバに登録することを示すコール・フロー４００を例示する。このコール・フロー４００は、アクセス端末（ＡＴ）、アクセス・ネットワーク（ＡＮ）、およびパケット・データ・サービング・ノード（ＰＤＳＮ）を含む。コール・フロー４００は、１×ＥＶ−ＤＯ改訂Ａシステムにおけるボイス・オーバＩＰ（ＶｏＩＰ）機能のコンテキストで記載される。しかしながら、コール・フロー４００に示す手続きは、他の機能および／または他のシステムに適用されうることが認識されるべきである。
【００４２】
例によれば、以下にしたがってＳＩＰ予約がなされうる。ＳＩＰアプリケーションおよびＶｏＩＰ  ＱｏＳアプリケーションが開始される。ＡＴの下部レイヤとのインタラクションに基づいて、ＳＩＰ／ＶｏＩＰアプリケーションは、現在関連付けられているＡＮがＶｏＩＰをサポートしているかを把握する。それに加えて、所与のＡＮが、ＭＰＡおよび／またはＥＭＰＡを用いてＡＴを設定するのであれば、このＡＮはＱｏＳアウェア（aware）であると考えられる。ＡＮがＶｏＩＰをサポートしないのであれば、ＡＴは、コール・フロー４００の残りをバイパスし、回路交換ネットワークに登録する。ＶｏＩＰアプリケーションは、リアルタイム・プロトコル（ＲＴＰ）ＱｏＳを設定する。ＲＴＰ設定が完了すると、ＶｏＩＰアプリケーションが、ＳＩＰアプリケーションに対して、ＩＭＳ登録を実行するようにトリガする。ＳＩＰアプリケーションは、Ｐ−ＣＳＣＦ（例えば、ＳＩＰサーバ）のアドレスを獲得し、ＳＩＰフローのためのＱｏＳの設定および／または起動を行う。ＳＩＰ  ＱｏＳの設定および起動がなされると、ＡＴは、ＩＭＳ登録を進める。ＳＩＰアプリケーションがタイム・アウトになり、応答を受信しない場合、ＳＩＰアプリケーションは、別のＰ−ＣＳＣＦに到達することを試みる。ＩＭＳが成功すれば、必要ならば、Ｐ−ＣＳＣＦのアドレスが、ＳＩＰ  ＱｏＳ設定において変更されうる。ＳＩＰ予約は、オープン状態を保つ。
【００４３】
コール・フロー４００に戻って、別のアプローチが記載される。まず、４０１において、ＡＴが初めて起動する。４０２において、ＡＴはセッション・ネゴシエーションを実行する。ＡＮは、ＡＮがマルチ・フロー・パケット・アプリケーション（ＭＰＡ）／エンハンスト・マルチ・フロー・パケット・アプリケーション（ＥＭＰＡ）のパラメータ・ネゴシエーションの一部として取り扱いうるサービス品質（ＱｏＳ）プロファイルのリストを提供する。さらに、４０２は、アクセス認証（例えば、アクセス端末の認証）を含む。
【００４４】
４０３において、ＰＰＰセッションがまだ確立されていない場合、ＳＩＰは、ＰＰＰセッションの開始をトリガする。４０４において、ＶｏＩＰアプリケーションは、最初のコールを求めるＲＴＰフローを設定することを要求する。ＡＮは、ＲＴＰフローを搬送するために必要とされる適切なパラメータを用いて、ラジオ・プロトコルを設定する。４０５において、ＡＮは、Ａ１０インタフェース接続を確立するためにＡ１１シグナリングを実行する。４０６において、トラフィック・フロー・テンプレート（ＴＦＴ）がフィルタリングを行い、ＲＳＶＰメッセージングによって、ＰＤＳＮにおいて、チャネル処理情報が設定される。４０６の後、ＲＴＰフローが正しく設定され、予約は、オフ状態で残る。ＶｏＩＰアプリケーションは、ＲＴＰ  ＱｏＳフロー設定が成功したことが通知される。
【００４５】
４０７において、ＳＩＰアプリケーションが、Ｐ−ＣＳＣＦ（例えば、ＳＩＰサーバ）アドレスのリストを決定する。４０８において、ＳＩＰアプリケーションが、ＳＩＰ  ＱｏＳフローを設定することを要求する。ＡＴはＡＮとネゴシエートして、ＳＩＰフローを搬送するために必要とされるラジオ・プロトコルを設定する。その上、必要なＴＦＴフィルタを用いてＰＤＳＮも設定される。４０９において、Ａ１０接続がＡＮとＰＤＳＮとの間で確立される。４１０において、ＡＴは、ＰＤＳＮにおけるフィルタをセットアップするために、ＲＳＶＰメッセージング゛を実行する。ＴＦＴフィルタおよびチャネル処理情報が、ＰＤＳＮにおいて設定される。ＳＩＰフローのために利用されるフィルタは、Ｐ−ＣＳＣＦのソース・アドレスであり、ＡＴの宛先アドレスである。利用されるＰ−ＣＳＣＦアドレスは、Ｐ−ＣＳＣＦアドレスのリストからのアドレスである。
【００４６】
４１１において、ＡＴは、ラジオＱｏＳフローおよびＰＤＳＮフィルタが正しく設定された後、ＡＮに対して、予約を、オン状態にするように要求する。４１２において、ＡＮは、ＳＩＰ  ＱｏＳフローが起動されたことをＰＤＳＮへ通知する。例によれば、ＲＴＰフローのＱｏＳはＣＯＮＦＩＧＵＲＥＤ／ＲＥＡＤＹであり、ＳＩＰフローのＱｏＳはＣＯＮＦＩＧＵＲＥＤ／ＲＥＡＤＹ／ＧＲＡＮＴＥＤである。例によれば、ＣＯＮＦＩＧＵＲＥＤは、必要とされるＱｏＳメトリックを提供する適切なネットワークにＱｏＳが必要とされていることを示唆する。ＲＥＡＤＹは、ネットワークが応答を行い、ＡＴへＱｏＳ設定を提供していることを示す。ＱｏＳ設定は、別のプロトコル・レイヤ（例えば、ＲＬＰ、ＭＡＣ等）のためのパラメータをプロビジョンすることを含みうる。ＧＲＡＮＴＥＤは、ＱｏＳフローが、ＡＴに割り当てられたＱｏＳフロー動作に必要とされるリソースを用いてオンになったことを意味する。
【００４７】
４１３において、アプリケーションは、Ｐ−ＣＳＣＦリストにおいて識別されるノード（例えば、ＳＩＰサーバ）に対してピング・メッセージを実行することを要求する。Ｐ−ＣＳＣＦの発見中、ＡＴは、どのリストが到達可能であるかを知らずに複数のアドレスを取得しうる。さらに、ＡＴは、リスト内のＰ−ＣＳＣＦエントリのサブセットのみへのアクセスを有する。ピング・メッセージは、上述したようなＩＭＳ登録処理によって到達可能性を発見することを直接的に試みることによって、アプリケーションによって被る不必要な遅延の回避を可能にする。ピング・メッセージは、迅速なサービス利用を可能にするために、正しいＰ−ＣＳＣＦに関連付けられる際にＡＴのパフォーマンスを迅速に改善する（例えば、アプリケーション登録の試みは、到達可能性が判定される前におよそ３０秒を必要としうる）。態様によれば、ピング・メッセージは、すべてのＰ−ＣＳＣＦエントリに対して並行して実行されうる。さらに、ＡＴは、測定された往復時間に基づいて最も近いＰ−ＣＳＣＦを発見しうる。ピング・メッセージはまた、測定値の信頼性を高めるために複数回数発行され、アプリケーションに対して、最短往復時間、平均往復時間、および／または、最長往復時間が与えられる。往復時間測定手続きは、ＳＩＰシグナリングに伴う遅延を最適化することを支援し、ＳＩＰセッションを確立する際にリアルタイムのインパクトを与えうる。アプリケーションは、到達可能なリスト内のＰ−ＣＳＣＦエントリが通知され、往復時間と関連付けられうる。アプリケーションは、到達可能なＰ−ＣＳＣＦエントリを用いて登録処理を実行する。これは、最短往復時間を有するエントリから開始される。この処理の間、ユーザがコールを開始すると、ＡＴは、１×システムへ切り換え、ＡＴは、コールが終了した場合に、この処理を再び実行しうる。ピング・メッセージによって、サービスは、最適化されたデータへ迅速に戻れるようになる。
【００４８】
４１４において、ＳＩＰフローのＱｏＳ設定が成功すると、ＩＭＳ登録が開始される。１×ＥＶ−ＤＯによるＳＭＳがサポートされている場合、ＩＭＳ登録が、デフォルト・フローによってなされうることが認識されるべきである。ＡＴは、発見手続き中に判定されたＰ−ＣＳＣＦのリストからアドレスを選択する。ＩＭＳ登録がタイム・アウトになると、リストからの他のＰ−ＣＳＣＦエントリを用いてＩＭＳ登録が試みられる。ＡＴは、Ｐ−ＣＳＣＦからの応答を待つタイマを起動する。ＡＴは、ＩＭＳ登録に伴う問題に遭遇する。例えば、ＡＴは、特定のＰ−ＣＳＣＦエントリへの登録のみが許可されうる。最初に選択されたサーバへの登録に失敗すると、ＡＴは、到達可能な他のＰ−ＣＳＣＦへの登録を再度試みる。
【００４９】
４１４において、選択されたＰ−ＣＳＣＦについてのＩＭＳ登録が失敗すると、ステップ４１５およびステップ４１６がなされる。４１５において、ＡＴは、Ｐ−ＣＳＣＦリストから別のエントリを選択し、ステップ４１３およびステップ４１４を繰り返す。４１６において、ＴＦＴフィルタは、新たなＰ−ＣＳＣＦアドレス（例えば、最終的に接続されているＰ−ＣＳＣＦのアドレス）をサポートするように変更される必要がある。ＡＴでは、ラジオ・パーツのためのオリジナルのＱｏＳ設定を維持しながら、ＱｏＳ変更手続きが、フィルタ設定の変更を行う。
【００５０】
開示された処理におけるステップの具体的な順序または階層は、典型的なアプローチの例であることが理解される。設計選択に基づいて、処理のステップの具体的な順序または階層は、本開示のスコープを維持しながら再アレンジされうることが理解される。これらに伴う方法請求項は、さまざまなステップの要素をサンプル順で示しており、示された具体的な順序または階層に限定されることは意図されていない。
【００５１】
図５および図６に示すように、登録処理を開始する前に、Ｐ−ＣＳＣＦの到達可能性を判定するために、ピング・メッセージを適用することに関連する方法論が例示される。説明を単純にする目的で、これら方法論は、一連の動作として示され説明されているが、これら方法論は、幾つかの動作が本明細書で示され記載されたものとは異なる順序で、あるいは他の動作と同時に生じうるので、動作の順序によって限定されないことが理解され認識されるべきである。例えば、当業者であれば、これら方法論はその代わりに、例えば状態図におけるように、一連の相互関連する状態またはイベントとして表されうることを理解し認識するだろう。さらに、１または複数の実施形態にしたがって方法論を実現するために、必ずしも例示された全ての動作が必要とされる訳ではない。
【００５２】
図５に移って、セッション初期化プロトコルを利用してＩＭＳ登録手続きを開始する前に、到達可能なサーバを選択することを容易にする方法論が例示される。一例において、この方法５００は、マルチメディア・サービスを可能にするために、ＩＭＳとのマルチメディア通信セッションを確立するモバイル・デバイスによって適用されうる。参照番号５０２では、複数のプロキシ・コール・セッション制御機能（Ｐ−ＣＳＣＦ）が発見される。Ｐ−ＣＳＣＦは、ＳＩＰサーバでありうる。参照番号５０４では、到達可能性を判定するために、おのおののＰ−ＣＳＣＦサーバがピングされる（例えば、ピング・メッセージがサーバへ送信される）。ピング・メッセージは、到達可能なサーバがピング・メッセージに対する応答を送るように、リターン応答を要求する。参照番号５０６では、リターン応答が受信されたピング・メッセージに関連付けられた往復時間が測定される。参照番号５０８では、少なくとも１つの到達可能なＰ−ＣＳＣＦへの登録手続きが開始される。実例によれば、登録手続きは、測定された最短の往復時間に関連付けられた到達可能なＰ−ＣＳＣＦに対して開始されうる。
【００５３】
図６を参照して、セッション初期化プロトコルを用いてＩＭＳ登録手続きを開始する前に、到達可能なサーバを選択することを容易にする方法論５００が例示される。一例において、方法６００は、マルチメディア・サービスを可能にするために、ＩＭＳとのマルチメディア通信セッションを確立するモバイル・デバイスによって適用されうる。参照番号６０２では、複数のＰ−ＣＳＣＦエントリを含むリストが取得される。参照番号６０４では、おのおののＰ−ＣＳＣＦにピング・メッセージが並行して送信される。参照番号６０６では、受信したピング・メッセージ応答に関連付けられた往復時間が測定される。参照番号６０８では、測定値が十分に収集されたかに関する判定がなされる。例えば、設定は、Ｎ個の測定がなされるべきであることを示しうる。ここでＮは、１以上の整数である。追加の測定が必要な場合、方法６００は、参照番号６０４に戻り、別の組のピング・メッセージを発行し、更なる時間測定値を得る。測定値が十分に収集されると、方法６００は、参照番号６１０に進み、収集された往復時間が集められる。例えば、収集された測定値が平均化される。さらに、最短値、最長値、中央値、あるいはその他任意の統計的メトリックが、収集された測定値に基づいて評価されうる。
【００５４】
参照番号６１２では、到達可能な最良のＰ−ＣＳＣＦへの登録手続きが開始される。到達可能なＰ−ＣＳＣＦは、ピング・メッセージに応答をリターンしたものである。例えば、最良のＰ−ＣＳＣＦは、収集された往復時間が最短のものである。参照番号６１４では、登録が成功したかに関する判定がなされる。成功した場合、方法６００は終了する。成功しない場合、方法６００は、参照番号６１６に進み、必要であれば、次に到達可能なサーバへの登録が開始される。到達可能なサーバが利用可能でなければ、セッション確立は失敗する。方法６００は、登録が成功するまで。参照番号６１４乃至６１６を反復しうる。
【００５５】
本明細書に記載された１または複数の態様にしたがって、ピング・メッセージに関連付けられた往復時間を測定することと、登録を開始するＳＩＰサーバを選択することと、到達可能性を判定すること等に関する推論がなされうることが認識されるであろう。本明細書で使用されるように、「推論する」または「推論」なる文言は一般に、イベントおよび／またはデータによってキャプチャされるような観察のセットから、システム、環境、および／または、ユーザの状態を推理または推論するプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５６】
図７は、開示された主題の態様にしたがって、無線通信システムにおけるモバイル・デバイスに関連付けられた通信を容易にしうるモバイル・デバイス７００の例示である。モバイル・デバイス７００は、例えばシステム１００、システム２００、システム３００、方法論５００、および方法論６００に関連して本明細書に記載されたようなモバイル・デバイス１１６、２００、または３０２と同じまたは類似しているか、および／または、同じまたは類似の機能を備えうることが認識されるべきである。
【００５７】
モバイル・デバイス７００は、例えば（図示しない）受信アンテナから信号を受信し、受信信号に対して一般的な動作（例えば、フィルタ、増幅、ダウンコンバート等）を実行し、調整された信号をデジタル化して、サンプルを取得する受信機７０２を備える。受信機７０２は、例えばＭＭＳＥ受信機であり、受信したシンボルを復調し、それらをチャネル推定のためにプロセッサ７０６へ送る復調器７０４を備えうる。プロセッサ７０６は、受信機７０２によって受信された情報を分析し、および／または、送信機７１６による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとを全て行うプロセッサでありうる。モバイル・デバイス７００はまた、例えば基地局（例えば１０２）、他の基地局（例えば１２２）等へ信号（例えば、データ）を送信することを容易にするために送信機７１８と連携して動作しうる変調器７１０を備えうる。
【００５８】
１つの態様では、プロセッサ７０６は、ＩＭＳによって提供されるマルチメディア・サービスへのＩＰ接続（例えば、マルチメディア通信セッション）を要求するＳＩＰアプリケーション３１６へ接続されうる。別の態様では、プロセッサ７０６は、ＳＩＰアプリケーション３１６によって適用されうるマルチメディア通信セッションの確立を容易にするＳＩＰモジュール３１８へ接続されうる。ＳＩＰモジュール３１８は、モバイル・デバイス７００とＩＰマルチメディア・サブシステムとの間のインタフェースを提供するプロキシ・サーバ（例えば、Ｐ−ＣＳＣＦサーバ）のリストを取得しうる。プロセッサ７０６はまた、リスト内のどのサーバが到達可能であるかを判定するために、ＳＩＰモジュール３１８によって取得されたリスト内のおのおののプロキシ・サーバへピング・メッセージを送信するピング・モジュール３２２へ接続されうる。ピング・モジュール３２２は、ピング・メッセージの送信のタイム・スタンプ、および、リターン応答に関連付けられたタイム・スタンプに基づいて往復時間を測定しうる。他の態様では、プロセッサ７０６はさらに、到達可能なサーバのセットからプロキシ・サーバを選択するサーバ選択モジュール３２６に接続されうる。選択後、ＳＩＰアプリケーション３１６のマルチメディア通信セッションの確立を可能にするために、ＳＩＰモジュール３１８は、選択されたプロキシ・サーバへのＳＩＰ登録を開始しうる。
【００５９】
モバイル・デバイス７００はさらにメモリ７１２を備えることができる。このメモリ７１２は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７１２はさらに、（例えば、パフォーマンス・ベース、キャパシティ・ベース等での）チャネルの推定および／または利用に関連付けられたアルゴリズムおよび／またはプロトコルを格納しうる。
【００６０】
本明細書に記載のデータ・ストア（例えば、メモリ７１２）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７１２は、限定される訳ではないが、これらおよびその他任意の適切なタイプのメモリを備えることが意図される。
【００６１】
ＳＩＰアプリケーション３１６、ＳＩＰモジュール３１８、ピング・モジュール３２２、および／または、サーバ選択モジュール３２６はおのおの、例えばシステム３００に関連して本明細書でより十分説明されたそれぞれの構成要素と同一であるか、または類似しているか、あるいは、同日または類似の機能を備えうることが認識および理解されるべきである。ＳＩＰアプリケーション３１６、ＳＩＰモジュール３１８、ピング・モジュール３２２、サーバ選択モジュール３２６、およびメモリ７１２は、望まれる場合、おのおの（図示するような）スタンド・アロンなユニットであることができ、プロセッサ７０６内に含まれ、別の構成要素および／または実質的にそれらの任意の組み合わせ内に組み込まれうることがさらに認識および理解されるべきである。
【００６２】
図８は、開示された主題の態様にしたがって、無線通信システムにおいて、モバイル・デバイスに関連付けられた通信を容易にするシステム８００の例示である。システム８００は、複数の受信アンテナ８０６を介して１または複数のモバイル・デバイス８０４から信号を受信する受信機８１０と、送信アンテナ８０８を介して１または複数のモバイル・デバイス８０４へ信号を送信する送信機８２０と、を備えた基地局８０２（例えば、アクセス・ポイント）を備える。受信機８１０は、受信アンテナ８０６から情報を受信する。また、受信した情報を復調する復調器８１２と動作可能に関連付けられている。復調されたシンボルは、プロセッサ８１４によって分析される。プロセッサ８１４は、受信機８１０によって受信された情報を分析し、送信機８２０による送信のための情報を生成することに特化されたプロセッサであるか、基地局８０２の１または複数の構成要素を制御するプロセッサであるか、および／または、受信機８１０によって受信された情報の分析と、送信機８２０による送信のための情報の生成と、基地局８０２の１または複数の構成要素の制御とを同時に行うプロセッサでありうる。さらに、プロセッサ８１４は、図７に関連して上述したプロセッサと類似しており、信号（例えば、パイロット）強度および／または干渉強度を推定することに関連する情報、モバイル・デバイス８０４（または（図示しない）別の基地局）へ送信されるあるいはモバイル・デバイス８０４（または（図示しない）別の基地局）から受信したデータ、および／または、本明細書で述べたさまざまな動作および機能を実行することに関連するその他任意の適切な情報を格納するメモリ８１６に接続されている。
【００６３】
さらに、メモリ８１６は、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ８１６はそれに加えて、（例えば、パフォーマンス・ベース、キャパシティ・ベース等による）チャネルの推定および／または利用に関連付けられたアルゴリズムおよび／またはプロトコルを備えうる。基地局８０２はまた、（例えば、データのような）信号を例えばモバイル・デバイス８０４や他のモバイル・デバイスへ送信することを容易にするために、送信機８２０と連携して動作する変調器８１８を備える。さらに、プロセッサ８１４と別に示されているが、復調器８１２および／または変調器８１８は、プロセッサ８１４または複数のプロセッサ（図示せず）の一部であることが認識されるべきである。
【００６４】
本明細書に記載されたメモリ８１６は、揮発性メモリあるいは不揮発性メモリのいずれかであるか、あるいは、揮発性メモリと不揮発性メモリの両方を含みうることが認識されよう。例示によって、限定ではなく、不揮発性メモリは、読取専用メモリ（ＲＯＭ）、プログラマブルＲＯＭ（ＰＲＯＭ）、ＥＰＲＯＭ（ＥＰＲＯＭ）、電子的に消去可能なＰＲＯＭ（ＥＥＰＲＯＭ）、あるいはフラッシュ・メモリを含むことができる。揮発性メモリは、外部キャッシュ・メモリとして動作するランダム・アクセス・メモリ（ＲＡＭ）を含むことができる。例示によって、限定ではなく、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。主題となるシステムおよび方法のメモリ８０８は、限定されるのではなく、これらおよびその他任意の適切なタイプのメモリを備えることが意図される。
【００６５】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図３、図７および図８）、コール・フロー（図４）、および／または方法（図５乃至図６）を適用しうることが認識されるべきである。
【００６６】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００６７】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６８】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６９】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００７０】
モバイル・デバイス９５０では、送信された変調信号がＮＲ個のアンテナ９５２ａ乃至９５２ｒによって受信され、おのおののアンテナ９５２からの受信信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７１】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００７２】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００７３】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００７４】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００７５】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００７６】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７７】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手続き、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７８】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７９】
図１０には、ピング・メッセージによるＳＩＰ登録中に、Ｐ−ＣＳＣＦの到達可能性を判定するシステム１０００が例示される。例えば、システム１０００は、基地局、モバイル・デバイス等の中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、複数のプロキシ・サーバを発見するための電子構成要素１００４を含みうる。さらに、論理グループ１００２は、発見されたおのおののプロキシ・サーバへピング・メッセージを送信するための電子構成要素１００６を備えうる。さらに、論理グループ１００２は、おのおののピング・メッセージに関連付けられた往復時間を測定するための電子構成要素１００８を備えうる。さらに、論理グループ１００２は、少なくとも１つの発見されたプロキシ・サーバへの登録手続きを開始するための電子構成要素１０１０を備えうる。さらに、システム１０００は、電子構成要素１００４、１００６、１００８、１０１０に関連付けられた機能を実行するための命令群を保持するメモリ１０１２を含みうる。メモリ１０１２の外側にあると示されているが、電子構成要素１００４、１００６、１００８、および１０１０のうちの１または複数は、メモリ１０１２内に存在しうることが理解されるべきである。
【００８０】
図１１は、セッション初期化プロトコル登録を容易にすることを判定するシステム１１００を例示する。例えば、システム１１００は、基地局、モバイル・デバイス等の内部に少なくとも部分的に存在することができる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、モバイル・デバイスから少なくとも１つのピング・メッセージを受信するための電子構成要素１１０４を含みうる。さらに、論理グループ１１０２は、少なくとも１つのピング・メッセージに応答してモバイル・デバイスへリターン・メッセージを送信するための電子構成要素１１０６を備えうる。さらに、論理グループ１１０２は、モバイル・デバイスへの登録を開始するための電子構成要素１１０８を備えうる。例えば、モバイル・デバイスへの登録は、少なくとも１つのピング・メッセージの送信およびリターン・メッセージの受信に必要とされる往復時間に少なくとも部分的に基づきうる。それに加えて、システム１１００は、電子構成要素１１０４、１１０６、１１０８に関連付けられた機能を実行するための命令群を保持するメモリ１１１０を含みうる。メモリ１１１０の外側にあると示されているが、電子構成要素１１０４、１１０６、および１１０８のうちの１または複数は、メモリ１１１０内に存在しうることが理解されるべきである。
【００８１】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神および範囲内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈されるように、用語「備える」と同様に包括的であることが意図される。
【図１】
2011503929.tif 000003
【図２】
2011503929.tif 000004
【図３】
2011503929.tif 000005
【図４】
2011503929.tif 000006
【図５】
2011503929.tif 000007
【図６】
2011503929.tif 000008
【図７】
2011503929.tif 000009
【図８】
2011503929.tif 000010
【図９】
2011503929.tif 000011
【図１０】
2011503929.tif 000012
【図１１】
2011503929.tif 000013
【国際調査報告】
2011503929.tif 000014
2011503929.tif 000015